(57)【要約】【課題】手工具によって簡単に調節部品を動かせるスライドレール調節装置を提供する。【解決手段】スライドレール１、調節部２、及び引導体３を備え、スライドレール１上には相対して接近している第一滑動溝１１１、枢設部１１２、及び第二滑動溝１１３を設け、調節部２には第一端２１、中段２２、及び第二端２３を設け、中段２２はスライドレール１の枢設部１１２に枢着し、第一端２１は、スライドレール１の第一滑動溝１１１に対応し、第二端２３はスライドレール１の第二滑動溝１１３に対応し、引導体３は調節部２の第二端２３に枢設し、引導体３底面には突出部３１を設け、突出部３１はスライドレール１の第二滑動溝１１３に対応しており、引導体３を動かすことによりその突出部３１は第二滑動溝１１３内でスライドし、並びに調節部２は中段２２の枢着箇所２２１を軸心として傾いて回転し、調節部２の第一端２１は第一滑動溝１１１において移動する。【選択図】図３
0003125670.tif 000002
【実用新案登録請求の範囲】
【請求項１】
スライドレール、調節部、及び引導体を備え、
スライドレール上には、相対して接近している第一滑動溝、枢設部、及び第二滑動溝を設け、
調節部には、第一端、中段、及び第二端を設け、調節部中段は、スライドレールの枢設部に枢着し、調節部の第一端は、スライドレールの第一滑動溝に対応し、調節部の第二端はスライドレールの第二滑動溝に対応し、
引導体は、調節部の第二端に枢設し、引導体底面には突出部を設け、突出部はスライドレールの第二滑動溝に対応しており、
引導体を動かすことにより前記突出部は第二滑動溝内でスライドし、調節部は中段枢着箇所を軸心として傾いて回転し、調節部の第一端は第一滑動溝において移動可能であることを特徴とするスライドレール調節装置。
【請求項２】
前記引導体の突出部は、中心を傾けて設置されることを特徴とする請求項１に記載のスライドレール調節装置。
【請求項３】
前記引導体の上面には、嵌合制御部を設けることを特徴とする請求項１に記載のスライドレール調節装置。
【請求項４】
前記調節部中段には枢孔を設け、スライドレールの枢設部には貫入枢着の為の中空管を形成することを特徴とする請求項１に記載のスライドレール調節装置。
【請求項５】
前記スライドレールの枢設部は固定孔であり、一つの枢軸を調節部中段の枢孔に貫入して固定孔に固着することを特徴とする請求項４に記載のスライドレール調節装置。
【請求項６】
スライドレール、調節部、及び引導体を備え、
スライドレール上には、相対して接近している第一滑動溝、枢設部、及び第二滑動溝を設け、
調節部には第一端、中段、及び第二端を設け、調節部中段に設けた一つの枢孔をスライドレールの枢設部に枢着し、調節部の第一端は、スライドレールの第一滑動溝に対応し、引き出しに連結する固定部品は第一端と第一滑動溝とに貫設し、調節部の第二端はスライドレールの第二滑動溝に対応し、
引導体は、調節部の第二端に枢設し、引導体底面には中心の傾いた突出部を設け、引導体上面には嵌合制御部を設け、突出部はスライドレールの第二滑動溝に対応しており、
引導体を動かすことにより前記突出部は第二滑動溝内でスライドし、調節部は中段枢孔を軸心として傾いて回転し、調節部の第一端は第一滑動溝において移動して、固定部品と引き出しとを移動させることを特徴とするスライドレール調節装置。
【考案の詳細な説明】
【技術分野】
【０００１】
本考案は、スライドレール調節装置に関する。特にスライドレールにわずかな幅調節を行い、それに結合する引き出しもしくはボードの上下位置調節をするものである。
【背景技術】
【０００２】
一般の引き出し等の伸縮スライドレールの調節方法において、現在の公知技術は、米国公開特許第４，２９１，９２９号、第６，５８５，３３６Ｂ２号、第６，９２３，５１８Ｂ２号、及び中華民国考案特許第Ｉ２５０００２号（米国特許第６，９２３，５１８Ｂ２号と同様）に見られるとおりであり、それらを参照されたい。
【考案の開示】
【考案が解決しようとする課題】
【０００３】
しかしながら、前述案件におけるいくつかは、比較的大きな組合せ空間（ウォームギアとウォームホイール）が必要であり、いくつかは操作時に大きな力を加える必要性があり、比較的大きな力で調節部品を直接持ち上げる故、力を浪費することになる。
【課題を解決するための手段】
【０００４】
上記課題を解決するために、本考案の目的は、スライドレール調節装置を提供することにあり、それは、手工具によって簡単に調節部品を動かすことができ、スライドレールの幅微調節を行い、それに結合する引き出しもしくはボードの上下位置を調節することを特徴とする。
本考案のスライドレール調節装置は、スライドレール、調節部、及び引導体を備え、スライドレール上には相対して接近している第一滑動溝、枢設部、及び第二滑動溝を設け、調節部には第一端、中段、及び第二端を設け、調節部中段はスライドレールの枢設部に枢着し、調節部の第一端は、スライドレールの第一滑動溝に対応し、調節部の第二端はスライドレールの第二滑動溝に対応し、引導体は調節部の第二端に枢設し、引導体底面には突出部を設け、突出部はスライドレールの第二滑動溝に対応しており、引導体を動かすことによりその突出部は第二滑動溝内でスライドし、並びに調節部は中段枢着箇所を軸心として傾いて回転し、調節部の第一端は第一滑動溝において推移することを特徴とする。
【０００５】
前記引導体の突出部は中心を傾けて設置され、前記引導体の上面には嵌合制御部を設け、前記調節部中段には枢孔を設け、スライドレールの枢設部には貫入枢着の為の中空管を形成し、前記調節部中段には枢孔を設け、スライドレール上には固定孔を設け、一つの枢軸を枢孔に貫入して固定孔に固着することを特徴とする。
（考案の効果）
以上説明したように、本考案のスライドレール調節装置は、操作が便利、且つ省エネルギーであり、小体積、小空間、更にスライドレール内部への取り付けが簡単であることを特徴とする。
【考案を実施するための最良の形態】
【０００６】
図１及び図２に示すように、本考案の一実施例は、スライドレール１、調節部２、及び引導体３を備える。スライドレール１は少なくとも一つの内レール１１を一つの外レール１２に嵌設することにより構成され、並びに、スライドレール１の内レール１１前端上には、相対して接近している第一滑動溝１１１、枢設部１１２、及び第二滑動溝１１３を設け、且つ第一滑動溝１１１は垂直方向の長い溝であり、第二滑動溝１１３は水平方向の長い溝である。調節部２には第一端２１、中段２２、及び第二端２３を設け、調節部２の中段２２には枢着孔２２１を設け、内レール１１上の枢設部１１２に設けた中空管には、枢着孔２２１を嵌設（本実施例では中空管リベットで接続）し、並びに、調節部２の第一端２１は、内レール１１の第一滑動溝１１１に対応し、調節部２の第二端２３は内レール１１の第二滑動溝１１３に対応する。また、引導体３は調節部２の第二端２３に枢設し、且つ引導体３底面には中心の偏った突出部３１を設け、引導体３の上面には嵌合制御部３２を設ける。本実施例において嵌合制御部３２は十字溝を持つ円形体であり、十字ドライバーの頭を十字溝に差し込んで引導体３を回転させ、突出部３１は内レール１１の第二滑動溝１１３に対応させる。また、引導体３上に位置対応箇所３３を設けるが、本実施例においては縁箇所に凹口を形成した。
【０００７】
図３に、引導体３上の位置対応箇所３３が調節部２の第二端２３の尖端箇所に対応する図を示す。突出部３１は図３において第二滑動溝１１３の最左端初期位置（未調節状態）に位置し、調節部２の第一端２１は第一滑動溝１１１の中央に位置する。また、引き出し５をスライドレール１の内レール１１に装着し完全に固定していない場合は、一つの固定部品４を調節部２の第一端２１に嵌設し、引き出し５に連結する。例えば、ネジを第一端２１に穿設、引き出し５の側板に螺着する。
【０００８】
工具（十字ドライバーの頭）を嵌合制御部３２に差込み、引導体３を回転させると、その突出部３１は第二滑動溝１１３内でスライドする。この時、図４に示すように、突出部３１の中心が傾いている故、調節部２は中段２２の枢着孔２２１を軸心として傾いて回転し、調節部２の第一端２１は第一滑動溝１１１下方に下降し、この動作は相対する固定部品４を動かすため引き出し５の前部は下方に推移する。よって、引導体３とスライドレール１内のレール１１の第一滑動溝１１１に相対する調節部２自体とはテコとなり、引導体３を操作して調節部２の第二端２３を連動した時、調節部２のテコ作用によって、調節部２の第一端２１を簡単に調節できる。このようにして、工具で引導体３を回転して簡単に調節部２の第一端２１の上下を調節し、第一端２１に固定した引き出しもしくはボードの上下位置に微調節を加えることができるこの設計は、いくつかの引き出し５が上下に配列してあり各パネル５１の間隔が異なる場合であっても、便利にその間隔を微調節でき、その外観においてはバランスがとれて協調性に溢れている。
また、図５に、調節部２ａの中段２２ａと内レール１１ａの枢着を示すが、これもまた、調節部２ａの中段２２ａに枢孔２２１ａを設け、内レール１１ａ上に固定孔１１４ａを設け、枢軸１１５ａを枢孔２２１ａに貫入した後、固定孔１１４ａに固着する。
【図面の簡単な説明】
【０００９】
【図１】本考案の一実施例によるスライドレール調節装置の斜視図である。
【図２】本考案の一実施例によるスライドレール調節装置の分解斜視図である。
【図３】本考案の一実施例によるスライドレール調節装置の未調節時の状態を示す模式図である。
【図４】本考案の一実施例によるスライドレール調節装置のである。
【図５】本考案の他の実施例によるスライドレール調節装置の分解斜視図である。
【符号の説明】
【００１０】
１  スライドレール、２  調節部、３  引導体、４  固定部品、５  引き出し、１１  内レール、１２  外レール、２１  第一端、２２  中段、２３  第二端、３１  突出部、３２  嵌合制御部、３３  位置対応箇所、１１１  第一滑動溝、１１２  枢設部、１１３  第二滑動溝、２２１  枢着孔、２ａ  調節部、１１ａ  内レール、２２ａ  中段、１１４ａ  固定孔、１１５ａ  枢軸、２２１ａ  枢孔
【図１】
0003125670.tif 000003
【図２】
0003125670.tif 000004
【図３】
0003125670.tif 000005
【図４】
0003125670.tif 000006
【図５】
0003125670.tif 000007